Podtech/llm-jp-corpus-v4-ja_patent huggingface dataset:
【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
導電性軸体と、該導電性軸体上に順次設けられた弾性層と、表面層とを有する現像ローラーにおいて、
該表面層が少なくともウレタン樹脂とカーボンブラックとを含有し、
該カーボンブラックの含有量が該ウレタン樹脂１００．０質量部に対し１５．０質量部以上、２５．０質量部以下の範囲であり、該カーボンブラックの面積相当径の相加平均値が２１．０ｎｍ以上、２７．０ｎｍ以下であり、
該カーボンブラックの面積相当径の分布における歪度が０．２５以上、０．６３以下であることを特徴とする現像ローラー。
【請求項２】
前記カーボンブラックが、面積相当径の相加平均値が２０．０ｎｍ以上、２５．０ｎｍ以下である粒子のファーネスブラック（Ａ）と、
面積相当径の相加平均値が２６．０ｎｍ以上、３０．０ｎｍ以下である粒子のファーネスブラック（Ｂ）とを含み、
該ファーネスブラック（Ａ）と該ファーネスブラック（Ｂ）の質量比率が８５：１５から２５：７５の範囲である請求項１に記載の現像ローラー。
【請求項３】
前記ウレタン樹脂がポリエーテルポリウレタンであり、前記カーボンブラックがｐＨ４．０以下である請求項１又は２に記載の現像ローラー。
【請求項４】
請求項１から３のいずれか一項に記載の現像ローラーの製造方法であって、
ポリエーテルポリオールと、イソシアネートと、面積相当径の相加平均値が２０．０ｎｍ以上、２５．０ｎｍ以下である粒子のファーネスブラック（Ａ）と、面積相当径の相加平均値が２６．０ｎｍ以上、３０．０ｎｍ以下である粒子のファーネスブラック（Ｂ）とを、該ファーネスブラック（Ａ）と該ファーネスブラック（Ｂ）との質量比率が８５：１５から２５：７５の範囲で含有する塗工液を、弾性層上に塗工して表面層を作製する工程を有することを特徴とする現像ローラーの製造方法。
【請求項５】
前記ファーネスブラック（Ａ）とファーネスブラック（Ｂ）とを含むカーボンブラックがｐＨ４．０以下である請求項４に記載の現像ローラーの製造方法。
【請求項６】
静電潜像を担持する感光ドラムと、該感光ドラムへ現像剤を供給する現像ローラーと、該現像ローラーに直流電圧を印加する金属製ブレードとが少なくとも装着され、電子写真画像形成装置本体に着脱自在に設けられるプロセスカートリッジにおいて、前記現像ローラーが請求項１から３のいずれか一項に記載の現像ローラーであることを特徴とするプロセスカートリッジ。
【請求項７】
静電潜像を担持する感光ドラムと、該感光ドラムへ現像剤を供給する現像ローラーと、該現像ローラーに直流電圧を印加する金属製ブレードとが少なくとも装着される画像形成装置において、前記現像ローラーが請求項１から３のいずれか一項に記載の現像ローラーであることを特徴とする画像形成装置。
【手続補正２】
【補正対象書類名】明細書
【補正対象項目名】００１９
【補正方法】変更
【補正の内容】
【００１９】
即ち、本発明は、導電性軸体と、該導電性軸体上に順次設けられた弾性層と、表面層とを有する現像ローラーにおいて、該表面層が少なくともウレタン樹脂とカーボンブラックとを含有し、該カーボンブラックの含有量が該ウレタン樹脂１００．０質量部に対し１５．０質量部以上、２５．０質量部以下の範囲であり、該カーボンブラックの面積相当径の相加平均値が２１．０ｎｍ以上、２７．０ｎｍ以下であり、該カーボンブラックの面積相当径の分布における歪度が０．２５以上、０．６３以下であることを特徴とする現像ローラーに関する。
【手続補正３】
【補正対象書類名】明細書
【補正対象項目名】００２０
【補正方法】変更
【補正の内容】
【００２０】
また、本発明は、上記現像ローラーの製造方法であって、ポリエーテルポリオールと、イソシアネートと、面積相当径の相加平均値が２０．０ｎｍ以上、２５．０ｎｍ以下である粒子のファーネスブラック（Ａ）と、面積相当径の相加平均値が２６．０ｎｍ以上、３０．０ｎｍ以下である粒子のファーネスブラック（Ｂ）とを、該ファーネスブラック（Ａ）と該ファーネスブラック（Ｂ）との質量比率が８５：１５から２５：７５の範囲で含有する塗工液を、弾性層上に塗工して表面層を作製する工程を有することを特徴とする現像ローラーの製造方法に関する。
【手続補正書】
【提出日】平成22年9月1日(2010.9.1)
【手続補正１】
【補正対象書類名】特許請求の範囲
【補正対象項目名】全文
【補正方法】変更
【補正の内容】
【特許請求の範囲】
【請求項１】
画像形成装置であって、
像坦持体上に画像を形成する像形成手段と、
前記像坦持体上に形成された画像をシートに転写する転写手段と、
前記画像が転写されたシートを定着する定着器と、
前記定着器の温度を検出する温度検出器と、
前記温度検出器により前記定着器の温度が設定温度範囲外になったことが検出されると、前記シートの搬送間隔を広げる搬送間隔変更手段と、
前記像坦持体上に、画像形成条件を調整するための調整用の画像を形成し、前記調整用の画像を読み取った結果に基づいて前記画像形成条件を調整する調整処理を実行する調整手段と、
最後に調整処理を実行してからの画像形成枚数が基準値に達するタイミングを、前記調整手段が次の調整処理を実行するタイミングとして判定する判定手段とを備え、
前記温度検出器により前記定着器の温度が前記設定温度範囲外になったことが検出されると、前記判定手段は、前記判定で用いる基準値に、前記定着器の温度が前記設定温度範囲を超えていないときに前記判定で用いる基準値よりも小さい値を設定する
ことを特徴とする画像形成装置。
【請求項２】
前記搬送間隔変更手段により搬送間隔が広げられた場合、前記調整手段は、シートに形成される画像と次のシートに形成される画像との間で、前記調整用の画像を形成することを特徴とする請求項１に記載の画像形成装置。
【請求項３】
前記転写手段は、シートを坦持して搬送する搬送媒体を有し、
前記調整手段は、前記像坦持体から前記搬送媒体に転写された前記調整用の画像を読み取ることを特徴とする請求項１に記載の画像形成装置。
【請求項４】
前記転写手段は、前記像坦持体上に形成された画像が転写され、転写された画像をシートに転写するための中間転写体を有し、
前記調整手段は、前記像坦持体から前記中間転写体に転写された前記調整用の画像を読み取ることを特徴とする請求項１に記載の画像形成装置。
【請求項５】
前記搬送間隔変更手段は、前記定着器の定着ローラの軸方向の端部の温度が予め定められた温度を越えると、前記シートの搬送間隔を広げることを特徴とする請求項１に記載の画像形成装置。
【請求項６】
前記搬送間隔変更手段は、前記定着器の定着ローラの軸方向の中央部分の温度が予め定められた温度より低くなると、前記シートの搬送間隔を広げることを特徴とする請求項１に記載の画像形成装置。
【請求項７】
前記判定手段は、更に、画像形成時間が閾値を越えたタイミングを、前記調整処理を行なうタイミングであると判定することを特徴とする請求項１に記載の画像形成装置。
【請求項８】
前記像形成手段は、複数の色の画像を形成するものであり、
前記搬送間隔変更手段は、前記定着器の温度が前記設定温度範囲外の第１の温度を下回ると、前記シートの搬送間隔を、予め設定された第１搬送間隔よりも広い第２搬送間隔に変更し、前記定着器の温度が前記第１の温度よりも低い第２の温度を下回ると、前記シートの搬送間隔を、前記第２搬送間隔よりもさらに広い第３搬送間隔に変更し、
前記調整手段は、前記シートの搬送間隔が前記第２搬送間隔に広げられた場合は、シートに形成される画像と次のシートに形成される画像との間で、予め定められた数の色の前記調整用の画像を形成し、前記シートの搬送間隔が前記第３搬送間隔に広げられた場合は、シートに形成される画像と次のシートに形成される画像との間で、前記予め定められた数よりも多い数の色の前記調整用の画像を形成することを特徴とする請求項１に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００１
【補正方法】変更
【補正の内容】
【０００１】
本発明は、画像形成装置に関する。
【手続補正４】
【補正対象書類名】明細書
【補正対象項目名】００１０
【補正方法】変更
【補正の内容】
【００１０】
本発明は、上記説明した従来技術の問題点を解決することを出発点としてなされたものである。その目的は、画像調整とダウンシーケンスとの２つの生産性の低下要因を有する場合に、生産性を極力落とさずに定着性と画像品位の双方を確保する画像形成装置を提供することである。
【手続補正５】
【補正対象書類名】明細書
【補正対象項目名】００１２
【補正方法】変更
【補正の内容】
【００１２】
即ち、画像形成装置であって、
像坦持体上に画像を形成する像形成手段と、
前記像坦持体上に形成された画像をシートに転写する転写手段と、
前記画像が転写されたシートを定着する定着器と、
前記定着器の温度を検出する温度検出器と、
前記温度検出器により前記定着器の温度が設定温度範囲外になったことが検出されると、前記シートの搬送間隔を広げる搬送間隔変更手段と、
前記像坦持体上に、画像形成条件を調整するための調整用の画像を形成し、前記調整用の画像を読み取った結果に基づいて前記画像形成条件を調整する調整処理を実行する調整手段と、
最後に調整処理を実行してからの画像形成枚数が基準値に達するタイミングを、前記調整手段が次の調整処理を実行するタイミングとして判定する判定手段とを備え、
前記温度検出器により前記定着器の温度が前記設定温度範囲外になったことが検出されると、前記判定手段は、前記判定で用いる基準値に、前記定着器の温度が前記設定温度範囲を超えていないときに前記判定で用いる基準値よりも小さい値を設定する
ことを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
本発明によれば、画像調整とダウンシーケンスの２つの生産性の低下要因を有する場合に、生産性を極力落とさずに定着性と画像品位の双方を確保する画像形成装置を提供できる。
【手続補正書】
【提出日】平成22年2月17日(2010.2.17)
【手続補正１】
【補正対象書類名】明細書
【補正対象項目名】０３２１
【補正方法】変更
【補正の内容】
【０３２１】
合成方法Ｃ  樹脂（Ｃ−２０）の合成（リビングラジカル重合）
ヘキサフルオロイソプピルアクリレート（和光純薬製）１４．４４ｇ、ｔ−ブチルベンゼン５８ｇ、和光純薬工業(株)製重合開始剤Ｖ−６０１を０．１０７８ｇ、下記化合物０．３１９ｇを混合しておく。これを窒素存在下、９０℃で９時間攪拌した。
終了後、重合溶液を放冷することにより３０℃以下に冷却した。その後Ｖ−６０１１．０７８ｇを重合溶液に加え、８０℃に加熱し８時間攪拌して末端処理をした。反応終了後、溶液を放冷することにより３０℃以下に冷却し、１２００ｍLのメタノール／水＝１／２の混合溶媒に滴下した。分離した油状化合物をデカンテーションによって回収し、４０℃にて１２時間乾燥して目的物である樹脂（１）を得た。
ＧＰＣ測定により求めた標準ポリスチレン換算の重量平均分子量は６０００、分散度は１．２であった。
【手続補正２】
【補正対象書類名】明細書
【補正対象項目名】０３２３
【補正方法】変更
【補正の内容】
【０３２３】
他の樹脂も同様に合成した。以下に樹脂（Ｃ-１）〜（Ｃ−７０）の構造を示す。また、下記表２に、各樹脂における繰り返し単位のモル比（各繰り返し単位と左から順に対応）、重量平均分子量、分散度、形状、ガラス転移温度を示す。
【手続補正３】
【補正対象書類名】明細書
【補正対象項目名】０３４４
【補正方法】変更
【補正の内容】
【０３４４】
【表１０】
2008107806.tif 000001
【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
原稿の画像を読み取るためのイメージセンサと、
前記イメージセンサを移動させるための移動機構と、
前記イメージセンサを、前記原稿が載置されている側から前記イメージセンサのホームポジションの方向に移動させ、前記ホームポジションを通過した後の折り返し位置において移動方向を反転させ、再び前記ホームポジションに移動させるように、前記移動機構を制御するためのコントローラと、
を備える画像読取装置。
【請求項２】
前記イメージセンサの読み取り感度を調整するための基準板をさらに備え、
前記基準板の位置は、前記移動方向が反転されることにより前記移動機構内に生ずるバックラッシュが解消された後において、前記移動機構が前記バックラッシュを解消したときの影響を受けることなく前記イメージセンサを移動させることができるような位置に設定される、請求項１に記載の画像読取装置。
【請求項３】
前記ホームポジションは、前記基準板に前記イメージセンサが対向する位置である、請求項２に記載の画像読取装置。
【請求項４】
前記イメージセンサの読み取り感度を調整するための基準板をさらに備え、
前記ホームポジションは、前記基準板と前記折り返し位置との間に位置し、前記基準板の位置は、前記移動方向が反転されることにより前記移動機構内に生ずるバックラッシュが解消された後において、前記移動機構が前記バックラッシュを解消したときの影響を受けることなく前記イメージセンサを移動させることができるような位置に設定される、請求項１に記載の画像読取装置。
【請求項５】
前記折り返し位置から前記ホームポジションまでの移動は、前記イメージセンサが該イメージセンサの読み取り感度を調整するための基準板を読み取った後に前記原稿の画像を読み取るための位置に移動されるときの速度よりも遅い速度になるように移動される、請求項１〜３のいずれかに記載の画像読取装置。
【請求項６】
前記折り返し位置から前記ホームポジションまでの移動は、前記イメージセンサが該イメージセンサの読み取り感度を調整するための基準板を読み取った後に前記原稿の画像を読み取るための位置に移動されるときの速度よりも遅い第１速度と、該第１速度よりも速い第２速度との２つの速度が用いられ、前記折り返し位置から所定位置までは前記第２速度になるように移動され、前記所定位置から前記ホームポジションまでは前記第１速度になるように移動される、請求項１〜３のいずれかに記載の画像読取装置。
【請求項７】
前記移動機構は、前記イメージセンサを移動させるための直流モータを含み、該直流モータは、該直流モータの出力軸が前記原稿の載置面に沿うように配置される、請求項１〜７のいずれかに記載の画像読取装置。
【請求項８】
前記移動機構において、前記直流モータの出力軸には前記原稿の載置面に沿うようにウォームギアが取り付けられている、請求項７に記載の画像読取装置。
【手続補正２】
【補正対象書類名】明細書
【補正対象項目名】発明の名称
【補正方法】変更
【補正の内容】
【発明の名称】画像読取装置
【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
設置式の囲炉裏(1A)、又は床切式の囲炉裏(1B)の炉端(2)の炉端開口部(3)に設置する囲炉裏用炉(35)において、四角箱型に形成される炉本体(10)と、この炉本体(10)の上部の炉開口部(37)の縁に沿って水平方向に形成される炉出っ張り(11)と、前記炉本体(10)の外壁の四隅の側面に前記炉出っ張り(11)より一定の低い位置で互いに同じ高さで固定され設けられる下向きのL字形状の炉支持部(57)と、これら下向きのL宇形状の炉支持部(57)の縦辺を構成し前記炉本体(10)の外壁の側面に固定され取り付けられる炉支持プレート(57b)と、前記L字形状の炉支持部(５７)の水平辺を構成し、炉端開口部(3)周辺の炉係合部(58)に掛けられ裏面が接触する事により前記炉本体(10)を前記炉端(2)に設置する炉支持プレート(57a)と、前記炉出っ張り(11)に対応し金属製の板材で四角型形状に形成され、裏面の四方の端部と前記炉出っ張り(11)の表面が合わされ前記炉開口部(37)を閉じる蓋(36)と、この蓋(36)の裏面の三方の端部の長手方向に形成され、前記炉出っ張り(11)の三方が挿入される断面がコの字型のスライド溝(39)と、を有する事を特徴とする囲炉裏用炉。
【請求項２】
前記蓋(36)の表面に設けられる取っ手(40)と、これらの取っ手(40)の本体を構成し両端が内側に直角に形成されるコの字型の連結棒(42)と、前記取っ手(40)の取付部を構成し前記蓋(36)の表面に固定される略長方形の取っ手プレート(43)と、これら取っ手プレート(43)の端部が巻き上がってフック状に形成され、このフック状の先端部に連結棒が出し入れできる隙間(46)を有する連結棒受け部(45)と、を有する事を特徴とする請求項1に記載の囲炉裏用炉。
【請求項３】
前記蓋(36)の裏面にスライド溝(39)が形成されない一方の端部の表面に設けられるロック装置(41)と、このロック装置(41)を構成し、コの字状に形成され、両後端部が上方に直角に形成され、さらに内側に直角に形成された状態で、ロック上蓋(48)の両側面の後端部に形成されるスプリング穴(51)に挿入され、上下に自在に動くように連結されるスプリング部分(47)と、このスプリング部分(47)の先端部に前記蓋(36)の裏面にスライド溝(39)が形成されない一方の端部と前記炉出っ張り(11)が合わされた状態で「緩やかに」挿入されるコの字型に形成されるロック部分(52)と、前記ロック上蓋の後端部に形成されるロック出っ張り(50)と、前記ロック上蓋(48)の先端部の両側面の上部に形成される連結穴(53)と、ロック本体(49)の先端部の両側面の上部に形成される連結穴(53)と、これらの連結穴(53)が合わされた状態で軸(54)で連結され前記ロック本体(49)に被さる状態で上下自在に動くように長方形の天板の両端から垂直方向に側板を有する形状に形成されるロック上蓋(48)と、このロック上蓋(48)に対応する大きさで長方形の箱型に形成され底面が前記蓋(36)の表面に固設されるロック本体(49)と、を有する事を特徴とする請求項1、又は2に記載の囲炉裏用炉。
【手続補正書】
【提出日】平成22年3月4日(2010.3.4)
【手続補正１】
【補正対象書類名】特許請求の範囲
【補正対象項目名】全文
【補正方法】変更
【補正の内容】
【特許請求の範囲】
【請求項１】
回路基板と、
前記回路基板上に実装されるタイミングコントローラであり、順次に入力される第１ないし第ｎ＋ｍ画素データを、前記第１ないし第ｎ画素データを含む第１映像データセットと、前記第ｎ＋１ないし第ｎ＋ｍ画素データを含む第２映像データセットとに区分して保存するが、前記第１映像データセットのデータサイズは、前記第２映像データセットのデータサイズより小さく（ｍ＞ｎ）、前記保存された第１映像データセット及び前記第２映像データセットからそれぞれ１個ずつの前記画素データを同時に出力するタイミングコントローラと、
前記回路基板と電気的に接続されて、前記画素データに対応するデータ電圧を複数のデータラインに提供するデータドライバであり、第１ないし第ｎ画素データに対応するデータ電圧を提供する第１番目ないし第ｓ番目データドライバＩＣを含む第１データドライバＩＣグループと、前記第ｎ＋１ないし第ｎ＋ｍ画素データに対応するデータ電圧を提供する第ｓ＋１番目ないし第ｓ＋ｔ番目データドライバＩＣを含む第２データドライバＩＣグループと、を含むが、前記第１データドライバＩＣグループのデータドライバＩＣの個数は、前記第２データドライバＩＣグループのデータドライバＩＣの個数より小さな（ｔ＞ｓ）データドライバと、
前記複数のデータラインによって印加された前記データ電圧によって映像を表示する液晶パネルと、
を備えることを特徴とする液晶表示装置。
【請求項２】
前記タイミングコントローラは、前記第1映像データセットを保存する第１メモリ部と、前記第２映像データセットを保存する第２メモリ部と、
を備えることを特徴とする請求項１に記載の液晶表示装置。
【請求項３】
前記第１メモリ部と前記第２メモリ部とは、同じメモリサイズを有することを特徴とする請求項２に記載の液晶表示装置。
【請求項４】
前記タイミングコントローラは、第１メモリ部及び第２メモリ部を備え、前記第１メモリ部及び前記第２メモリ部に前記第２映像データセットを保存できるメモリサイズを割り当て、前記第１メモリ部に前記第１映像データセットを保存し、前記第２メモリ部に前記第２映像データセットを保存する請求項１に記載の液晶表示装置。
【請求項５】
前記タイミングコントローラは、ラインバッファメモリと、前記第１映像データセットのデータサイズを表す第１データ情報と、前記第２映像データセットのデータサイズを表す第２データ情報とを受信して、前記第１映像データセットのデータサイズと前記第２映像データセットのデータサイズとを比較する比較部と、その比較結果によって前記ラインバッファメモリを、前記第２映像データセットを保存できるメモリサイズを有する第１メモリ部と第２メモリ部とに区分するメモリ割当部と、
を備えることを特徴とする請求項１に記載の液晶表示装置。
【請求項６】
前記第１データ情報及び前記第２データ情報を前記比較部に提供する設定メモリをさらに備えることを特徴とする請求項５に記載の液晶表示装置。
【請求項７】
前記第１データ情報は、前記複数のデータラインのうち、前記第１データドライバＩＣグループに電気的に接続されたデータラインの数であり、前記第２データ情報は、前記複数のデータラインのうち、前記第２データドライバＩＣグループに電気的に接続されたデータラインの数であることを特徴とする請求項６に記載の液晶表示装置。
【請求項８】
前記タイミングコントローラは、前記第ｓ番目データドライバＩＣ及び前記第ｓ＋１データドライバＩＣが前記回路基板に接続される部分の間の前記回路基板上に実装されることを特徴とする請求項１に記載の液晶表示装置。
【請求項９】
前記回路基板は、前記タイミングコントローラと前記第１データドライバＩＣグループとの間に接続され、前記第１ないし第ｎ画素データを伝達する第１信号伝送ラインと、前記タイミングコントローラと前記第２データドライバＩＣグループとの間に接続され、前記第ｎ＋１ないし第ｎ＋ｍ画素データを伝達する第２信号伝送ラインとを備え、前記第１及び第２信号伝送ラインはそれぞれ、前記タイミングコントローラから前記第１ないし第ｎ画素データ及び前記第ｎ+1ないし第ｎ＋ｍ画素データが順次に同時に出力される前記回路基板の第１層の第１出力ラインと、ビアを介して前記第１出力ラインから前記第１ないし第ｎ画素データ及び前記第ｎ+1ないし第ｎ＋ｍ画素データが、それぞれ前記第１番目ないし第ｓ番目データドライバＩＣ及び前記第ｓ＋１番目ないし第ｓ＋ｔ番目データドライバＩＣに出力される前記回路基板の第２層の第２出力ラインと、
を備えることを特徴とする請求項１に記載の液晶表示装置。
【請求項１０】
前記第１出力ラインは、複数の屈曲部を備え、前記屈曲部の内角が９０°以上であることを特徴とする請求項９に記載の液晶表示装置。
【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
染色後のプラスチックレンズの染色面全域を所望する色で略均一な染色濃度とするために電子計算機に入力された染色情報に基づいて、昇華性染料を溶解又は微粒子分散させた染色用インクを基体に塗布し前記プラスチックレンズの直径よりも小さな直径の円形状にて所定の色濃度からなる第１の印刷パターンを形成するとともに，該第１の印刷パターンの外周から外側に向って前記プラスチックレンズの直径を超える所定の範囲に前記第１の印刷パターンと同色で異なる色濃度からなる第２の印刷パターンを形成する工程と、前記染色用インクが塗布された前記基体の塗布面とを真空中にて非接触にて対向させるとともに前記基体を加熱することにより昇華性色素を昇華させる工程と、前記昇華性色素がついた前記プラスチックレンズを加熱して染色面全域の色濃度を略均一として染色する工程と、を有することを特徴とするプラスチックレンズの染色方法。
【請求項２】
請求項１のプラスチックレンズの染色方法において、前記第２の印刷パターンは前記第１の印刷パターンに対して同心円状に形成されることを特徴とするプラスチックレンズの染色方法。
【請求項３】
請求項１のプラスチックレンズの染色方法において、前記プラスチックレンズの染色面が凹面の場合には前記印刷パターンは中心部の色濃度に対して周辺部の色濃度を薄くし，凸面の場合には前記印刷パターンは中心部の色濃度に対して周辺部の色濃度を濃くしたことを特徴とするプラスチックレンズの染色方法。
【請求項４】
請求項１〜３のプラスチックレンズの染色方法において、前記第２の印刷パターンの形成領域は外周に向うにしたがって前記第１印刷パターンの色濃度との差が大きくなるように前記染色用インクが塗布されていることを特徴とするプラスチックレンズの染色方法。
【請求項５】
請求項１〜４のプラスチックレンズの染色方法において、前記第１印刷パターンと第２印刷パターンは，染色を行うプラスチックレンズの基材，レンズの屈折力，レンズの曲率，並びにレンズの型番の少なくとも一つの情報を考慮して染色後のプラスチックレンズの染色面全域の色濃度が略均一となるように形成されることを特徴とするプラスチックレンズの染色方法。
【手続補正２】
【補正対象書類名】明細書
【補正対象項目名】０００４
【補正方法】変更
【補正の内容】
【０００４】
上記課題を解決するために、本発明は以下のような構成を備えることを特徴とする。
（１）  プラスチックレンズの染色方法において、染色後のプラスチックレンズの染色面全域を所望する色で略均一な染色濃度とするために電子計算機に入力された染色情報に基づいて、昇華性染料を溶解又は微粒子分散させた染色用インクを基体に塗布し前記プラスチックレンズの直径よりも小さな直径の円形状にて所定の色濃度からなる第１の印刷パターンを形成するとともに，該第１の印刷パターンの外周から外側に向って前記プラスチックレンズの直径を超える所定の範囲に前記第１の印刷パターンと同色で異なる色濃度からなる第２の印刷パターンを形成する工程と、前記染色用インクが塗布された前記基体の塗布面とを真空中にて非接触にて対向させるとともに前記基体を加熱することにより昇華性色素を昇華させる工程と、前記昇華性色素がついた前記プラスチックレンズを加熱して染色面全域の色濃度を略均一として染色する工程と、を有する。
（２）  （１）のプラスチックレンズの染色方法において、前記第２の印刷パターンは前記第１の印刷パターンに対して同心円状に形成されることを特徴とする。
（３）  （１）のプラスチックレンズの染色方法において、前記プラスチックレンズの染色面が凹面の場合には前記印刷パターンは中心部の色濃度に対して周辺部の色濃度を薄くし，凸面の場合には前記印刷パターンは中心部の色濃度に対して周辺部の色濃度を濃くしたことを特徴とする。
（４）  （１）〜（３）のプラスチックレンズの染色方法において、前記第２の印刷パターンの形成領域は外周に向うにしたがって前記第１印刷パターンの色濃度との差が大きくなるように前記染色用インクが塗布されていることを特徴とする。
（５）  （１）〜（４）のプラスチックレンズの染色方法において、前記第１印刷パターンと第２印刷パターンは，染色を行うプラスチックレンズの基材，レンズの屈折力，レンズの曲率，並びにレンズの型番の少なくとも一つの情報を考慮して染色後のプラスチックレンズの染色面全域の色濃度が略均一となるように形成されることを特徴とする。
【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
光ファイバの素線をそれぞれ固定したフェルール同士を両側から挿入することにより光接続する連結部材であって、１個又は複数の環状部から複数の弾発性を有する条片部を筒形に張り出し、これらの条片部に囲まれた空間内において前記複数の条片部により前記フェルールを周囲から押圧し、前記フェルール同士の調芯を行いながら前記素線同士を突き合わせることを特徴とする光ファイバの連結部材。
【請求項２】
両側の２個の前記環状部間に前記条片部を掛け渡し、前記条片部を内側に膨出したことを特徴とする請求項１に記載の光ファイバの連結部材。
【請求項３】
１個又は複数の環状部から複数の弾発性を有する条片部を張り出し、これらの条片部により片側に第１の光ファイバの素線を固定した第１のフェルールを連結した連結部材を第１のハウジングに固定し、第２の光ファイバの素線を固定した第２のフェルールを第２のハウジングに固定し、前記第１、第２のハウジング同士を嵌合することにより、前記第２のフェルールを前記連結部材の他側に連結し、前記フェルール同士の調芯を行いながら前記素線同士を突き合わせることを特徴とする連結部材を用いた光ファイバ連結装置。
【請求項４】
前記第１のフェルール、前記連結部材は前記第１のハウジングに設けた筒部内に固定し、前記第２のフェルールは前記第２のハウジングに設けた筒部内に固定したことを特徴とする請求項３に記載の連結部材を用いた光ファイバ連結装置。
【請求項５】
前記第１のハウジングの筒部の前面に可動の開閉板を設け、前記第２のハウジングの挿脱に従って開閉することを特徴とする請求項４に記載の連結部材を用いた光ファイバ連結装置。
【請求項６】
前記第１、第２のハウジング同士の嵌合と同時に、前記第１、第２のハウジング同士を錠止することを特徴とする請求項３〜５の何れか１つの請求項に記載の連結部材を用いた光ファイバ連結装置。
【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
像担持体の画像を中間転写体に一次転写する一次転写部と、前記中間転写体に一次転写された画像を記録媒体に二次転写する二次転写部と、を備えた画像形成装置であって、
前記二次転写部によって記録媒体に画像を二次転写する際の二次転写速度を変更するために、前記中間転写体の回転速度を前記第１速度から前記第２速度に変更する速度変更手段と、
前記速度変更手段により前記中間転写体の回転速度を前記第１速度から前記第２速度に変更する場合、前記中間転写体の回転速度が前記第１速度の状態で前記二次転写部によって二次転写される第１画像と、前記中間転写体の回転速度が前記第２速度の状態で前記第１画像に続いて前記二次転写部によって二次転写される第２画像とを、前記中間転写体の回転速度が前記第１速度の状態で、前記一次転写部によって前記中間転写体に一次転写するように、前記第１画像と前記第２画像の一次転写動作を制御する制御手段とを有し、
前記制御手段は、前記中間転写体の回転速度が前記第１速度の状態で、前記第１画像と前記第１画像に続いて前記第２画像を一次転写する際の前記第１画像の後端と第２画像の先端までの画像間隔を、前記中間転写体の回転速度を前記第１速度から前記第２速度に変更するために必要な前記中間転写体の移動距離に対応する間隔以上となるように制御することを特徴とする画像形成装置。
【請求項２】
前記制御手段は、前記中間転写体の回転速度が前記第１速度の状態で前記二次転写部によって二次転写を行う最後の画像が二次転写された後、前記速度変更手段により前記中間転写体の回転速度を前記第２速度に変更することを特徴とする請求項１に記載の画像形成装置。
【請求項３】
前記中間転写体の回転速度が前記第２速度の状態で前記二次転写部によって二次転写される最初の画像は、前記速度変更手段により前記中間転写体の回転速度が前記第２速度に変更された後に記録媒体に二次転写されることを特徴とする請求項２に記載の画像形成装置。
【請求項４】
前記二次転写を行う際の前記中間転写体の回転速度は、記録媒体の種類に応じて変更されることを特徴とする請求項２又は３に記載の画像形成装置。
【請求項５】
前記画像を形成するための画像形成情報を受信する受信手段を有し、
前記制御手段は、前記受信手段で受信した画像形成情報に基づき前記画像間隔を設定することを特徴とする請求項１に記載の画像形成装置。
【請求項６】
前記制御手段は、前記第１速度が前記中間転写体の最速の回転速度より遅い場合に、前記第１速度を前記中間転写体の最速の回転速度に変更することを特徴とする請求項１に記載の画像形成装置。
【請求項７】
前記制御手段は、
下記の（１）式の関係、
Ｌｔ１２≧Ｌｘ＋（Ｌｐ１＋Ｌｐ２＋Ｌｐ３...＋ＬｐＮ）＋（Ｌｄ１＋Ｌｄ２＋Ｌｄ３...＋ＬｄＮ−１）...（１）
ここで、Ｎは画像枚数、Ｌｔ１２は前記一次転写の位置から前記二次転写の位置までの中間転写体の移動距離、Ｌｐ１、Ｌｐ２、Ｌｐ３、...、ＬｐＮは各記録媒体の中間転写体の搬送方向の長さ、Ｌｄ１、Ｌｄ２、Ｌｄ３、...、ＬｄＮ−１は前記各記録媒体の搬送間隔、Ｌｘは前記第１速度で二次転写を行う第１画像の一次転写が終わってから前記中間転写体の回転速度が前記第２速度の状態で二次転写される第２画像の一次転写が始まるまでの画像間隔であって、
が成り立つ、
（１）式によって求められるＮ枚の画像を、前記速度変更手段によって前記中間転写体を前記第２速度に変更する前に前記第１速度の中間転写体に一次転写させることを特徴とする請求項１に記載の画像形成装置。
【手続補正２】
【補正対象書類名】明細書
【補正対象項目名】発明の名称
【補正方法】変更
【補正の内容】
【発明の名称】画像形成装置
【手続補正３】
【補正対象書類名】明細書
【補正対象項目名】０００８
【補正方法】変更
【補正の内容】
【０００８】
本発明は、上記説明した従来技術の問題点を解決することを出発点としてなされたものである。その目的は、連続して画像形成する際にプリンタエンジンのもつ適切なスループットが得られるように副走査方向の画像同期信号出力タイミングと一次転写処理を行う速度とを調整可能な画像形成装置を提供することである。
【手続補正４】
【補正対象書類名】明細書
【補正対象項目名】０００９
【補正方法】変更
【補正の内容】
【０００９】
上記目的を達成するための本発明に係る画像形成装置は、以下の構成を有する。像担持体の画像を中間転写体に一次転写する一次転写部と、前記中間転写体に一次転写された画像を記録媒体に二次転写する二次転写部と、を備えた画像形成装置であって、前記二次転写部によって記録媒体に画像を二次転写する際の二次転写速度を変更するために、前記中間転写体の回転速度を前記第１速度から前記第２速度に変更する速度変更手段と、前記速度変更手段により前記中間転写体の回転速度を前記第１速度から前記第２速度に変更する場合、前記中間転写体の回転速度が前記第１速度の状態で前記二次転写部によって二次転写される第１画像と、前記中間転写体の回転速度が前記第２速度の状態で前記第１画像に続いて前記二次転写部によって二次転写される第２画像とを、前記中間転写体の回転速度が前記第１速度の状態で、前記一次転写部によって前記中間転写体に一次転写するように、前記第１画像と前記第２画像の一次転写動作を制御する制御手段とを有し、前記制御手段は、前記中間転写体の回転速度が前記第１速度の状態で、前記第１画像と前記第１画像に続いて前記第２画像を一次転写する際の前記第１画像の後端と第２画像の先端までの画像間隔を、前記中間転写体の回転速度を前記第１速度から前記第２速度に変更するために必要な前記中間転写体の移動距離に対応する間隔以上となるように制御することを特徴とする。
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正書】
【提出日】平成22年8月11日(2010.8.11)
【手続補正１】
【補正対象書類名】特許請求の範囲
【補正対象項目名】全文
【補正方法】変更
【補正の内容】
【特許請求の範囲】
【請求項１】
ガラス容器を検査ステーションで欠陥について検査するための機械において、
ガラス容器を前記検査ステーションで回転させるための手段と、
水平な光軸を有する第１の光源と水平な光軸を有する第２の光源とを含み、回転しているガラス容器の選択された部分を照光するための光源であって、選択されたオン時間及びこれに続く選択されたオフ時間を有する、光源と、
前記光源を連続的に複数回オン及びオフにするための手段と、を備え、
前記光源が連続的に複数回オン及びオフにされている間に、前記ボトルを所定の回転角度に亘って回転させ、
前記検査するための機械は、更に、
検出器軸線を有し、ガラス容器の照光された前記選択された部分を撮影するためのトリガー可能な撮影部分を含むカメラであって、前記カメラの露光時間は、少なくとも、回転しているガラス容器を前記所定の回転角度に亘って回転させるのに必要な時間と等しい、カメラと、
前記ボトルが前記所定の回転角度のうちの少なくとも一つの開始時にあるときおよび終了時にあるとき、前記カメラが前記容器の前記選択された部分を、前記ガラス容器が前記所定の回転角度に亘って回転するときに連続的に撮影するように、前記カメラの前記撮影部分をトリガーするための手段と、
前記所定の回転角度の終了時に前記トリガー手段がトリガーされたときに、前記画像を捉えて移送するための手段と、
を備える、ガラス容器を検査ステーションで検査するための機械。
【請求項２】
請求項１に記載のガラス容器を検査ステーションで検査するための機械において、
前記トリガー手段は、複数回トリガーされる、ガラス容器を検査ステーションで検査するための機械。
【請求項３】
請求項１に記載のガラス容器を検査ステーションで検査するための機械において、更に、
所定の角度内で、欠陥を検査するために、複数の記録された画像のうちの一つの重要な追加を決定するための手段を有する、ガラス容器を検査ステーションで検査するための機械。
【請求項４】
請求項１に記載のガラス容器を検査ステーションで検査するための機械において、
前記選択された部分は、ガラス容器の口部分である、ガラス容器を検査ステーションで検査するための機械。
【請求項５】
請求項２に記載のガラス容器を検査ステーションで検査するための機械において、
前記欠陥は割れである、ガラス容器を検査ステーションで検査するための機械。
【請求項６】
請求項１に記載のガラス容器を検査ステーションで検査するための機械において、
前記所定の回転角度によって規定された角度は、３６０°の一部である、ガラス容器を検査ステーションで検査するための機械。
【請求項７】
請求項１に記載のガラス容器を検査ステーションで検査するための機械において、
前記光源は、直交する関係にあるＬＥＤパネルを含む、ガラス容器を検査ステーションで検査するための機械。
【請求項８】
請求項３に記載のガラス容器を検査ステーションで検査するための機械において、
前記重要な追加は６つの捕捉からなり、各捕捉は前記容器の前記選択された部分の８回の照光からなる、ガラス容器を検査ステーションで検査するための機械。
【手続補正２】
【補正対象書類名】明細書
【補正対象項目名】００１８
【補正方法】変更
【補正の内容】
【００１８】
ノイズを減少するため、αは、好ましい本実施例では、表面が角度φ°の小さい部分（２５％）に亘って照光されるように決定される。光源がφ°の小さな画分だけで「オン」である場合、容器の不合格の原因となる割れを見つけて撮影する。この画分は、所望の結果を得るため、経験に基づいて変化させることができる。容器の口部分の領域における割れに関して撮影プロセスを開示したが、胴部またはヒール部の割れ、及び他の欠陥を識別するために使用することもできる。
【手続補正書】
【提出日】平成22年8月23日(2010.8.23)
【手続補正１】
【補正対象書類名】特許請求の範囲
【補正対象項目名】全文
【補正方法】変更
【補正の内容】
【特許請求の範囲】
【請求項１】
検査ステーションにおいて垂直ガラス容器の口部を検査するための装置であり、
前記検査ステーションにおいてガラス容器を回転させる手段と、
第一及び第二の垂直方向に延びている光源であり、当該第一及び第二の光源の各々の光軸が、水平であり且つ口部において前記ガラス容器の軸線に対して相対的に直角の角度を規定している前記第一及び第二の光源と、
前記口部において、前記光軸及び前記容器の軸線と交差する検知器軸線を有しており且つ水平に対して垂直方向上方約４５°で且つ各光軸に対して水平方向４５°の角度を規定している検知器軸線を有しているカメラであって、前記容器を規定された回転角度（θ）だけ回転させるのに必要とされる時間に少なくとも等しい露出時間を有していて、前記容器が前記規定された角度だけ回転したときに前記口部のデータを連続的に取得するようになされている前記カメラと、
前記取得されたデータを取り込み且つ一連の規定された角度（θ）の終了時に記録されている複数（Ｙ）個の記録された取得データの加重を行って欠陥検査を行うコンピュータと、
を備えた、検査ステーションにおいて垂直ガラス容器の口部を検査するための装置。
【請求項２】
請求項１に記載の検査ステーションにおいて垂直ガラス容器の口部を検査するための装置であって、
前記第一の光源が、当該第一の光源の光軸を規定している少なくとも１つのＬＥＤを含むＬＥＤの垂直列であり、前記第二の光源が、当該第二の光源の光軸を規定している少なくとも１つのＬＥＤを含むＬＥＤの垂直列であるようになされた装置。
【請求項３】
請求項２に記載の検査ステーションにおいて垂直ガラス容器の口部を検査するための装置であって、
各光源が、前記光源のための光軸を規定しているＬＥＤの垂直方向上方に延びている第一の複数のＬＥＤと、前記光源のための光軸を規定しているＬＥＤの垂直方向下方に延びている第二の複数のＬＥＤと、を含んでいる装置。
【請求項４】
請求項３に記載の検査ステーションにおいて垂直ガラス容器の口部を検査するための装置であって、
前記第一の複数のＬＥＤの各々が、前記第一の光軸からの距離の関数として、前記第一の光源の光軸に向かって連続的に傾いており、前記第二の複数のＬＥＤの各々が、前記第二の光軸からの距離の関数として、前記第二の光源の光軸に向かって連続的に傾いている装置。
【請求項５】
請求項２に記載の検査ステーションにおいて垂直ガラス容器の口部を検査するための装置であって、
前記ＬＥＤの垂直列が、水平方向に隣接しているＬＥＤの対を含んでいる装置。
【請求項６】
請求項２に記載の検査ステーションにおいて垂直ガラス容器の口部を検査するための装置であって、
前記ＬＥＤの垂直列が鏡の円弧を形成している装置。
【請求項７】
請求項４に記載の検査ステーションにおいて垂直ガラス容器の口部を検査するための装置であって、
前記ＬＥＤの垂直列が鏡の円弧を形成している装置。
【請求項８】
請求項５に記載の検査ステーションにおいて垂直ガラス容器の口部を検査するための装置であって、
前記ＬＥＤの垂直列が鏡の円弧を形成している装置。
【請求項９】
請求項１に記載の検査ステーションにおいて垂直ガラス容器の口部を検査するための装置であって、
前記光源が、選択された“オン”時間を有し、選択された“オフ”時間がそれに続き、
前記光源を、複数の連続した回数だけ、“オン”と“オフ”に切り換えるための手段が設けられ、
前記光源が前記の複数回数だけ連続的に“オン”及び“オフ”に切換られている間に、前記ガラス壜が規定された回転角度だけ回転し、
前記カメラは、ガラス容器の選択された照射された部分の像を結像させるためのトリガー可能な結像部分を含んでいる、装置。
【手続補正２】
【補正対象書類名】明細書
【補正対象項目名】００１７
【補正方法】変更
【補正の内容】
【００１７】
ノイズを減らすために、好ましい実施形態においては、ａは、表面の角度φ°の小部分（２５％）が照射されるように規定されている。光源がφの小部分のみが“オン”であるときに、ある容器を不合格とさせる割れの像が形成されることが判明した。この小部分は、所望の結果を達成するように実験的に変更することができる。結像プロセスを、容器の口部の割れに関して開示したけれども、胴部又はヒール部の割れ及びその他の欠陥を特定するために使用することができる。
【手続補正３】
【補正対象書類名】図面
【補正対象項目名】図８
【補正方法】変更
【補正の内容】
【図８】
2008107347.tif 000001
【手続補正書】
【提出日】平成22年9月3日(2010.9.3)
【手続補正１】
【補正対象書類名】特許請求の範囲
【補正対象項目名】全文
【補正方法】変更
【補正の内容】
【特許請求の範囲】
【請求項１】
圧電素子と、
圧電素子の駆動端に駆動信号をフィードバックして圧電素子を励振駆動する発振回路と、
前記発振回路の駆動信号の外部への出力を制御する駆動信号スイッチ回路とを備えることを特徴とする、発振装置。
【請求項２】
前記発振回路の出力信号の外部への出力を制御し、前記駆動信号スイッチ回路と排他的に動作する発振出力信号スイッチ回路を備えたことを特徴とする請求項１に記載の発振装置。
【請求項３】
前記駆動信号スイッチ回路は、
前記発振回路と検出端との間の電気的接続を制御する第１のスイッチ回路と、一定電位と検出端との間の電気的接続を制御する第２のスイッチ回路とを有し、前記第１のスイッチ回路と前記第２のスイッチ回路とは排他的に動作することを特徴とする、請求項１又は２に記載の発振装置。
【請求項４】
前記発振回路は、前記圧電素子を定電流制御し、
前記駆動信号スイッチ回路は、前記駆動信号の駆動電圧を、前記圧電素子の等価定数の直列抵抗値を算出する信号として出力することを特徴とする請求項１から３の何れか一つに記載の発振装置。
【請求項５】
前記発振回路は、前記圧電素子を定電圧制御し、
前記駆動信号スイッチ回路は、前記駆動信号の駆動電流を、前記圧電素子の等価定数の直列抵抗値を算出する信号として出力することを特徴とする請求項１から３の何れか一つに記載の発振装置。
【請求項６】
前記駆動信号スイッチ回路は、ＣＭＯＳトランジスタで構成されることを特徴とする請求項１から請求項５のいずれか一つに記載の発振装置。
【請求項７】
圧電素子を励振素子および検出素子とし、
励振素子の圧電素子の駆動端に駆動信号をフィードバックして、圧電素子を励振駆動する発振回路と、
検出素子の圧電素子の検出端から出力される出力を検出し、検出信号を出力する検出回路と、
前記発振回路の駆動信号の外部への出力を制御する駆動信号スイッチ回路と、
前記検出回路の検出信号の外部への出力を制御する検出信号スイッチ回路とを備えることを特徴とする振動ジャイロ。
【請求項８】
前記駆動信号スイッチ回路と検出信号スイッチ回路とは連動して排他的に制御され、前記駆動信号又は前記検出信号のいずれか一方を外部に出力することを特徴とする請求項７に記載の振動ジャイロ。
【請求項９】
前記発振回路は、前記圧電素子を定電圧制御又は定電流制御し、
前記駆動信号スイッチ回路は、前記発振回路の駆動信号の駆動電流又は駆動電圧を等価定数の直列抵抗値を算出する信号として出力することを特徴とする、請求項７又は請求項８に記載の振動ジャイロ。
【請求項１０】
前記検出回路が備える増幅回路の増幅率を制御する制御回路と、
前記増幅率を調整する補正データを記憶する記憶回路とを備え、
前記制御回路は、調整時に前記記憶回路から前記補正データを読み出し、読み出した前記補正データに基づいて前記増幅率を調整することを特徴とする、請求項７から請求項９のいずれか一つに記載の振動ジャイロ。
【請求項１１】
前記記憶回路は、前記駆動信号スイッチ回路および検出信号スイッチ回路を排他的に駆動する制御データを記憶し、
前記制御回路は、前記記憶回路から前記制御データを読み出し、前記駆動信号又は前記検出信号のいずれか一方を外部に出力することを特徴とする、請求項１０に記載の振動ジャイロ。
【請求項１２】
前記記憶回路は、
前記増幅率を調整する前記補正データの余剰ビットに、前記駆動信号スイッチ回路および前記検出信号スイッチ回路を排他的に駆動する前記制御データを記憶することを特徴とする、請求項１０又は請求項１１に記載の振動ジャイロ。
【請求項１３】
前記発振回路は、
励振素子の圧電素子から出力される出力電流を交流電圧に変換する電流／電圧変換回路と、
この電流／電圧変換回路からの交流信号を増幅し、増幅率を可変できる利得可変増幅器と、
前記電流／電圧変換回路からの出力電圧または前記圧電素子に印加する駆動電圧を整流する整流回路と、
この整流から出力される出力信号と所定の基準信号とを比較して前記整流回路からの信号出力の変動に応じて制御電圧を出力する比較回路とを備え、
前記利得可変増幅器は、前記制御電圧に基づいて前記増幅率を制御し、前記圧電素子からの出力電流または前記圧電素子に印加する駆動電圧を一定に維持することを特徴とする請求項７から請求項１２の何れか一つに記載の振動ジャイロ。
【請求項１４】
前記駆動信号スイッチ回路および検出信号スイッチ回路は、ＣＭＯＳトランジスタで構成されることを特徴とする請求項７から請求項１３のいずれか一つに記載の振動ジャイロ。
【手続補正２】
【補正対象書類名】明細書
【補正対象項目名】発明の名称
【補正方法】変更
【補正の内容】
【発明の名称】発振装置、および振動ジャイロ
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
ガラス壜（１２）のシール面の穴（１６）の内側隅部に規定される環状段部（２７）の内側端縁から上方へ突出している“まくれ”（４０）の有無を検査するための装置であり、
検査ステーションに前記ガラス壜（１２）を垂直方向に支持する手段（１０）と、
前記ガラス壜の底部を通って垂直方向上方へ光を導くための第一の光源（１４）と、
前記ガラス壜のシール面の像を結ばせるためのカメラ手段（２２）であり、前記シール面（２８）の上方に垂直方向に配置され且つ前記シール面の上方に配置された視野レンズ（２０）を含んでいるカメラ手段（２２）と、
前記視野レンズと前記シール面との間に配置されたビームスプリッタ（１８）と、
水平方向に向けられた光を、前記シール面（２８）に向かって垂直方向下方へ再配向するために、光を前記ビームスプリッタ（１８）に向かって水平方向に導く第二の光源（２６）と、を含み、
前記第１の光源（１４）からの光を前記ガラス壜（１２）の底部を通って垂直方向上方へと導き且つこれと同時に前記第２の光源（２６）からの光を前記ビームスプリッタ（１８）を介して前記シール面（２８）に向かって垂直方向下方へ導く構造とされており、
前記穴が明るく見え、前記シール面が灰色に見え、前記環状段部が黒色に見え、前記“まくれ”が灰色に見えるようになされた装置。
【請求項２】
請求項１に記載の“まくれ”の有無を検査するための装置であり、前記第二の光源がＬＥＤパネルである装置。  
【請求項３】
請求項１に記載の“まくれ”の有無を検査するための装置であり、前記カメラ手段がＣＣＤカメラを含んでいる装置。